(57)【要約】【課題】本体寸法を低減した、高湿分空気利用ガスタービンの水回収装置を提供する。【解決】高湿分空気利用ガスタービンからの排ガスを受けて水回収を行う高湿分空気利用ガスタービンの水回収装置であって、水回収装置は、高湿分空気利用ガスタービンからの排ガスを下部から受け、上部から排出するとともに、上段に散水ノズル、中段に水とガスの気液接触を行う第１と第２の充填層、下部に排ガスの導入口を配置し、中段下側の第１の充填層は、排ガスの導入口から遠い位置の上方にあるほど充填層内の充填剤の厚さが厚くなるように配置されており、中段上側の第２の充填層は、充填層内の充填剤の厚さが均一に配置されていることを特徴とする。【選択図】図１
2015025416.tif 000002
【特許請求の範囲】
【請求項１】
高湿分空気利用ガスタービンからの排ガスを受けて水回収を行う高湿分空気利用ガスタービンの水回収装置であって、
水回収装置は、高湿分空気利用ガスタービンからの排ガスを下部から受け、上部から排出するとともに、上段に散水ノズル、中段に水とガスの気液接触を行う第１と第２の充填層、下部に前記排ガスの導入口を配置し、
中段下側の第１の充填層は、前記排ガスの導入口から遠い位置の上方にあるほど充填層内の充填剤の厚さが厚くなるように配置されており、中段上側の第２の充填層は、充填層内の充填剤の厚さが均一に配置されていることを特徴とする高湿分空気利用ガスタービンの水回収装置。
【請求項２】
請求項１に記載の高湿分空気利用ガスタービンの水回収装置であって、
水回収装置の下部には、前記排ガスの導入口から流入した排ガスを上方に向けるための整流板を備えていることを特徴とする高湿分空気利用ガスタービンの水回収装置。
【請求項３】
請求項１または請求項２記載の高湿分空気利用ガスタービンの水回収装置であって、
水回収装置の散水ノズルの上段に液体微粒子を取り除くためのデミスタを配置していることを特徴とする高湿分空気利用ガスタービンの水回収装置。
【請求項４】
請求項１から請求項３のいずれか１項に記載の高湿分空気利用ガスタービンの水回収装置であって、
第１と第２の充填層内の充填剤が、第１の充填層では高温用ステンレス系材料であり、第２の充填層では高温用ステンレス系以外の材質の充填材を使用することを特徴とする高湿分空気利用ガスタービンの水回収装置。
【請求項５】
高湿分空気利用ガスタービンからの排ガスを受けて水回収を行う高湿分空気利用ガスタービンの水回収装置であって、
水回収装置は、高湿分空気利用ガスタービンからの排ガスを下部から受け、上部から排出するとともに、上段に散水ノズル、中段に第１と第２の充填層、下部に前記排ガスの導入口を配置し、
中段上側の第２の充填層に流入する排ガスの流速分布が均一化するように、前記第１の充填層内の充填剤の厚さが配置されていることを特徴とする高湿分空気利用ガスタービンの水回収装置。
【発明の詳細な説明】
【技術分野】
【０００１】
本発明は、高湿分の作動空気を利用したガスタービンの水回収装置に関する。
【背景技術】
【０００２】
高湿分空気利用ガスタービンに関する従来技術としては、たとえば特許文献１、特許文献２に記載のものがある。これらに記載の高湿分空気利用ガスタービンでは、出力増加、効率向上を目的としてタービンの作動空気を高湿分に加湿する。この場合、加湿に使用される水は純水であり、その再利用のためにタービン排ガスの排出に際し水回収装置により水分を回収するように構成されている。
【先行技術文献】
【特許文献】
【０００３】
【特許文献１】特開２００９−１６２１００号公報
【特許文献２】特開２００９−１７４５４２号公報
【発明の概要】
【発明が解決しようとする課題】
【０００４】
水回収装置では、その下部からガスタービン排ガスを投入し、上部から排出する。このため水回収装置の容器上方部に設置した散水ノズルから冷却水を散水する。水回収装置中には充填剤が配置されており、下方からのガスタービン排ガスは充填剤を通過して上方に抜ける。他方、上方からの冷却水は充填剤の情報から下方に落下する。
【０００５】
この過程において、水回収装置中に配置された充填材の表面においてタービン排ガスと気液接触させて、一部蒸発した水の蒸発潜熱も利用して排ガスを冷却することにより、排ガス中の湿分を凝縮させて凝縮水として回収している。
【０００６】
ところで、タービン排ガスは水回収装置の下部に流入する際に、水回収装置入口にて、排ガス流路が９０度上方に曲げられることにより、排ガス流速分布に偏りが生じる。タービン排ガスの水回収装置入口に近い領域では排ガス流速が低く、タービン排ガスの水回収装置入口から遠い領域ほど排ガス流速が速くなるという分布を示す。
【０００７】
このため、特許文献１、２のような従来の水回収装置では、入口に整流ノズルを設置して排ガス流速分布の均一化を図っていたが、水回収装置本体の寸法が大きくなる。このことから、水回収装置本体の寸法を小さくするためには整流ノズル配置スペースの制約が課題であった。
【０００８】
仮に、より最適な充填材の配置によって排ガス流速分布の均一化を図ることによって整流ノズルを省くことができれば、水回収装置寸法低減について改善の余地があると考えられる。
【０００９】
以上のことから本発明の目的は、本体寸法を低減した、高湿分空気利用ガスタービンの水回収装置を提供することにある。
【課題を解決するための手段】
【００１０】
上記目的を達成するために、本発明では高湿分空気利用ガスタービンからの排ガスを受けて水回収を行う高湿分空気利用ガスタービンの水回収装置であって、水回収装置は、高湿分空気利用ガスタービンからの排ガスを下部から受け、上部から排出するとともに、上段に散水ノズル、中段に水とガスの気液接触を行う第１と第２の充填層、下部に排ガスの導入口を配置し、中段下側の第１の充填層は、排ガスの導入口から遠い位置の上方にあるほど充填層内の充填剤の厚さが厚くなるように配置されており、中段上側の第２の充填層は、充填層内の充填剤の厚さが均一に配置されていることを特徴とする。
【発明の効果】
【００１１】
本発明によれば、本体寸法を低減した、高湿分空気利用ガスタービンの水回収装置を提供することができる。
【図面の簡単な説明】
【００１２】
【図１】水回収装置を含むガスタービンシステムの全体系統を示す図。
【図２】従来の水回収装置３の概略構造を示した図。
【図３】本発明のの水回収装置３の概略構造を示した図。
【発明を実施するための形態】
【００１３】
以下本発明の実施形態について、図を用いて説明する。
【実施例】
【００１４】
図１は本発明の水回収装置を含むガスタービンシステムの全体系統を示す図である。
【００１５】
ガスタービンシステムは、高湿分空気利用ガスタービン１、その排ガス下流側に設置される廃熱回収ボイラ２、さらにその下流に設置されタービンから排出した排ガス中の湿分を回収する水回収装置３を主な構成機器として構成されている。
【００１６】
また水回収装置３で回収された水は、冷却装置４にて冷却水としての運用温度にまで冷却され、水処理装置５にて不純物を取り除いた後、廃熱回収ボイラ２に供給され、再利用される。廃熱回収ボイラ２は、高湿分空気利用ガスタービン１の排ガス熱エネルギーを回収して蒸気を発生し、発生蒸気は高湿分空気利用ガスタービン１の燃焼用空気として利用される。
【００１７】
図２は、比較例として、特許文献１、特許文献２に示すような従来の水回収装置３の構造を示した概略図である。図２において、６は整流ノズル、７は充填層、８は散水ノズル、９はデミスタである。
【００１８】
従来の考え方によれば、水回収装置３の下部において、装置内部に挿入された入口配管１００から約１４０度の排ガスＧが流入する。入口配管１００には整流ノズル６が設置されており、流入した排ガスＧは、整流ノズル６により均一な流速Ｇｏの分布とされて装置上部方向に導かれる。
【００１９】
充填層７に到達した排ガスＧは、充填材表面において、散水ノズル８から散水された冷却水Ｗと気液接触し、一部蒸発した水の蒸発潜熱も利用して約３５度まで冷却される。凝縮した排ガス中の湿分は凝縮水として回収される。
【００２０】
湿分を回収された排ガスＧ１は、装置内上部に設置されたデミスタ９によって液体微粒子が取り除かれた後、装置最上部の出口より大気に排気される。
【００２１】
図３は、本発明の水回収装置の構造を示した概略構造図である。図３において１０は整流板、１１は第１充填層、１２は第２充填層、８は散水ノズル、９はデミスタである。
【００２２】
水回収装置３の下部に接続されたダクトより流入した約１４０度の排ガスＧは、まず、整流板１０によって装置上部方向に流れ方向を９０度曲げるよう導かれる。この場合整流板１０はガスの流れ方向を上方に向けたのみであって、水回収装置３の狭い容器の中で、ガス入口から遠いほど流速を増すような分布となる。この点、各部の流速を均一に分布させる従来の整流ノズル６とはその機能が相違する。
【００２３】
本発明では充填層は上下２層に構成されており、上側の第２充填層１２は水回収装置３の容器全体に均一に、同じ厚さに敷設されている。これに対し下側の第１充填層１１は、流速分布に合せて排ガス導入部から遠い方に向けて充填層の厚さが大きくなるように敷設されている。
【００２４】
上昇した排ガスＧ１は最初に下層の第１充填層１１に到達する。第１充填層１１に到達した排ガスは、充填材表面において、散水ノズル８より散水された冷却水と気液接触し、一部蒸発した水の蒸発潜熱も利用して約８０度まで冷却される。凝縮した排ガス中の湿分は凝縮水として回収される。
【００２５】
なお、第１充填層１１に排ガスが到達した段階では、排ガス導入部から遠い方に向けて排ガス流速は大きくなっており、流速分布に偏りがある。図３において排ガス導入部に近い側の排ガス流速Ｇ１に対し、排ガス導入部から遠い側の排ガス流速Ｇｎは、Ｇｎ＞Ｇ１とされている。
【００２６】
これに対し、先に説明したように、流速分布に合せて排ガス導入部から遠い方に向けて第１充填層１１の厚さを大きくするように充填剤を敷設している。このことにより、充填材の圧力損失の差異によって、第１充填層１１上部の排ガス流速分布が流速Ｇ０に均一化される。
【００２７】
次に、第２充填層１２に排ガスが到達した段階では、排ガスの流速分布は均一であるため、第２充填層１２の厚さは均一とされている。ただし、第１充填層１１にて排ガスが約８０度まで冷却されているため、設計温度を第１充填層１１のそれより小さくとることができ、高温用ステンレス系以外の材質の充填材使用も選択可能である。
【００２８】
なお、第２充填層１２の充填材表面において散水ノズル８より散水された冷却水と気液接触し、約３５度まで冷却され、湿分を回収された排ガスは、装置内上部に設置されたデミスタ９によって液体微粒子が取り除かれた後、装置最上部の出口より大気に排気される。
【００２９】
このように本発明では、水回収装置入口の整流ノズルを省くかわりに、充填層を２つの層に分けて、第１の充填槽の厚さを、排ガスの流速分布に合せて排ガス導入部から遠い方に向けて厚く配置した。これにより第２の充填槽に流入するガス流速の分布を均一化したものである。
【００３０】
以上詳細に説明した本発明によれば、水回収装置入口の整流ノズルを省くことができる。この部分には代わりに整流板１０を設置すればよい。このため水回収装置の下部の構成を著しく小型化することができ、水回収装置の小型化に貢献するところ大である。
【符号の説明】
【００３１】
１：高湿分空気利用ガスタービン
２：廃熱回収ボイラ
３：水回収装置
４：冷却装置
５：水処理装置
６：整流ノズル
７：充填層
８：散水ノズル
９：デミスタ
１０：整流板
１１：第１充填層
１２：第２充填層
【図１】
2015025416.tif 000003
【図２】
2015025416.tif 000004
【図３】
2015025416.tif 000005